(57)【要約】【課題】光の照射に応じて画像の表示を行う表示媒体において、画像の書き込みを確実に行えるようにする。【解決手段】タッチパネル２００から点Ｐ１の位置を示す信号が出力されると、点Ｐ１の下方にある画素Ｇ１から光が出力される。この画素は、表示媒体２１のコレステリック液晶の配向状態を変化させて且つ配向状態を安定させるのに必要な時間だけ光を出力する。表示媒体２１において点Ｐ１の下方に位置する部分では、外光が反射されずに黒として使用者に視認される。次に、筆記具３が点Ｐ２の位置へ移動すると、点Ｐ２の下方の画素Ｇ２から光が出力される。さらに、筆記具３が点Ｐ３へ移動すると、点Ｐ３の下方の画素Ｇ３から光が出力される。ここで、画素Ｇ１が光を出力している時間が予め定められた時間を超えていると、画素Ｇ１からの光の出力は停止される。【選択図】図１２
2010230935.tif 000002
【特許請求の範囲】
【請求項１】
光の照射及び印加される電圧に応じて表示が変化する表示媒体に対して電圧を印加する電圧印加手段と、
前記表示媒体へ光を照射する光出力手段と、
移動可能な操作子が接触すると該操作子の接触した位置を示す位置信号を出力する装置から該位置信号を受け取り、受け取った該位置信号に基づいて、前記表示媒体において表示を変化させる位置を特定し、前記表示媒体の該特定された位置へ予め定められた時間の間、光が照射されるように前記光出力手段を制御する制御手段と
を有する書込装置。
【請求項２】
前記表示媒体は、
印加される電圧により配向状態が変化する液晶を有する表示層と、
光が照射されると前記表示層に印加される電圧を増加させる感光層と
を備え、
前記光出力手段からの光が前記感光層に照射されると、前記表示層に印加される電圧が増加して前記液晶の配向状態が変化すること
を特徴とする請求項１に記載の書込装置。
【請求項３】
前記制御手段は、前記位置信号を受け付けている期間においては、前記表示媒体において前記光出力手段から光が照射された位置へ前記光出力手段からの光が再度照射されないように前記光出力手段を制御すること
を特徴とする請求項１または請求項２に記載の書込装置。
【発明の詳細な説明】
【技術分野】
【０００１】
本発明は、書込装置に関する。
【背景技術】
【０００２】
特許文献１には、コレステリック液晶を有する液晶層と、光に反応して電荷を発生する感光層、および液晶層と感光層を挟んだ電極を有する光書込型の表示媒体が開示されている。この表示媒体においては、電極に電圧を印加し、表示媒体に光を照射すると、光が照射された位置にある液晶の配向状態が変化し、光の照射に応じて画像が表示される。
【先行技術文献】
【特許文献】
【０００３】
【特許文献１】特開平１１−２３７６４４号公報
【発明の概要】
【発明が解決しようとする課題】
【０００４】
本発明は、光の照射に応じて画像の表示を行う表示媒体において、使用者による画像の書き込みを確実に行えるようにすることを目的とする。
【課題を解決するための手段】
【０００５】
本発明の請求項１に係る書込装置は、光の照射及び印加される電圧に応じて表示が変化する表示媒体に対して電圧を印加する電圧印加手段と、前記表示媒体へ光を照射する光出力手段と、移動可能な操作子が接触すると該操作子の接触した位置を示す位置信号を出力する装置から該位置信号を受け取り、受け取った該位置信号に基づいて、前記表示媒体において表示を変化させる位置を特定し、前記表示媒体の該特定された位置へ予め定められた時間の間、光が照射されるように前記光出力手段を制御する制御手段を有する。
【０００６】
本発明の請求項２に係る書込装置は、請求項１に記載の構成において、前記表示媒体は、印加される電圧により配向状態が変化する液晶を有する表示層と、光が照射されると前記表示層に印加される電圧を増加させる感光層とを備え、前記光出力手段からの光が前記感光層に照射されると、前記表示層に印加される電圧が増加して前記液晶の配向状態が変化する。
【０００７】
本発明の請求項３に係る書込装置は、請求項１または請求項２に記載の構成において、前記制御手段は、前記位置信号を受け付けている期間においては、前記表示媒体において前記光出力手段から光が照射された位置へ前記光出力手段からの光が再度照射されないように前記光出力手段を制御する。
【発明の効果】
【０００８】
本発明の請求項１，２に記載の発明によれば、光の照射に応じて画像の表示を行う表示媒体において、操作子が接触した位置への画像の書き込みを確実に行うことができる。
本発明の請求項３に記載の発明によれば、光を照射し続けることにより前記表示媒体において発生する不具合を抑えることができる。
【図面の簡単な説明】
【０００９】
【図１】本発明の一実施形態に係るシステムの装置を示した図である。
【図２】表示媒体２１の断面の模式図である。
【図３】表示層に印加される電圧と表示層の反射率の関係を示した図である。
【図４】表示層に電圧を印加した時のコレステリック液晶の配向状態の変化を説明するための図。
【図５】配向状態を変化させるのに要する時間を説明するための図である。
【図６】書込装置１の内部の模式図である。
【図７】書込装置１のハードウェア構成を示したブロック図である。
【図８】表示層に印加される電圧と感光層への光の照射時間との関係を示した図である。
【図９】電圧印加部１０３が出力する信号の波形を示した図である。
【図１０】表示デバイス１０６Ａに表示される画面を例示した図である。
【図１１】表示デバイス１０６Ａに表示される画面を例示した図である。
【図１２】実施形態の動作を説明するための図である。
【図１３】実施形態の動作を説明するための図である。
【発明を実施するための形態】
【００１０】
［実施形態］
図１は、本発明の一実施形態に係るシステムの書込装置１、表示装置２及び筆記具３の外観の模式図である。
【００１１】
表示装置２は、照明器具の光や太陽光などの外光を反射して画像の表示を行う反射型の表示装置である。表示装置２は、矩形で板状の形状をしており、コレステリック液晶を有する表示層と、光に反応して電荷を発生する感光層、および表示層と感光層を挟んだ導電層が積層された表示媒体２１を備えている。
表示装置２は、導電層に電圧が印加されている状態で書込装置１から光が照射されると、光が照射された位置にあるコレステリック液晶の配向状態が変化する。すると、光の照射に応じて表示層が外光を透過する部分と外光を反射する部分とに分かれ、画像を表示する。
【００１２】
筆記具３は、所謂スタイラスペンであり、表示媒体２１において表示を変化させる部分を指定する際に使用される操作子である。筆記具３の先端部分は、表示媒体２１の表面に接触させられるため、表示媒体２１を傷付けないように先端部分が曲面となっている。
【００１３】
書込装置１は、表示装置２に画像を書き込んで表示させる装置である。書込装置１は、表示装置２の導電層へ電気的に接続される端子と、表示媒体２１に光を照射する装置を備えており、端子を介して表示媒体２１の導電層に電圧を印加しつつ表示装置２に対して光を照射し、表示装置２に画像を表示させる。
【００１４】
（表示装置２の構成）
図２は、表示装置２の表示媒体２１の断面を模式的に示した図である。表示媒体２１は、基板層、導電層、表示層、着色層、感光層及びラミネート層を積層した構成となっており、各層の形状は矩形となっている。また、表示媒体２１の表面にはタッチパネル２００が配置されている。なお、図２においては、タッチパネル２００が配置されている側が、使用者が画像を視認する側（表示面側）となっており、基板層２０１Ｃが配置されている側が、書込装置１から出力された光が照射される側（書き込み面側）となっている。
【００１５】
透明なタッチパネル２００は、表面に物体が触れると触れた位置を示す位置信号を出力する位置入力装置であり、位置信号を出力する端子２００Ａが接続されている。タッチパネル２００の表面に筆記具３の先端が触れると、筆記具３が触れた位置を示す位置信号が端子２００Ａから出力される。
【００１６】
基板層２０１Ａ，２０１Ｂ，２０１Ｃは、画像を表示する部分の保護や形状の保持を行う層である。基板層２０１Ａは、タッチパネル２００に接しており、基板層２０１Ｃは、書き込み面側で表示装置２の表面に露出している。また、基板層２０１Ｂは、導電層２０２Ｂと導電層２０２Ｃとの間で両者を絶縁する役割を果たしている。なお、本実施形態においては各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００１７】
導電層２０２Ａ，２０２Ｂ，２０２Ｃ，２０２Ｄは、本実施形態においては酸化インジウムスズで形成されており、透明で光を透過し、且つ導電性を有する層である。なお、各導電層は、透明で光を透過して導電性を有するのであれば、その素材は酸化インジウムスズに限定されず、他の素材であってもよい。
導電層２０２Ａは、基板層２０１Ａの書き込み面側に接しており、導電層２０２Ｂは基板層２０１Ｂの表示面側に接している。また、導電層２０２Ｃは、基板層２０１Ｂの書き込み面側に接しており、導電層２０２Ｄは基板層２０１Ｃの表示面側に接している。
また、導電層２０２Ａには端子２０３Ａが接続され、導電層２０２Ｂには端子２０３Ｂが接続されており、導電層２０２Ｃには端子２０３Ｃが接続され、導電層２０２Ｄには端子２０３Ｄが接続されている。端子２０３Ａ〜２０３Ｄは、電圧が印加される端子であり、表示装置２の外部へ露出するように配置されている。
【００１８】
導電層２０２Ａの書き込み面側に接している表示層２０４ＢＧと、導電層２０２Ｃの書き込み面側に接している表示層２０４Ｒは、コレステリック液晶と、光を透過する樹脂からなる層であり、樹脂の中にコレステリック液晶が分散した構成となっている。
コレステリック液晶は、液晶分子がらせん状に捩れて配向しており、電場によって配向が変化し、入射する光のうち特定の波長の光を反射する状態又は光を透過する状態に変化する。なお、本実施形態においては、表示層２０４ＢＧのコレステリック液晶は青緑の光を反射し、表示層２０４Ｒのコレステリック液晶は赤の光を反射するように調整されている。
また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００１９】
導電層２０２Ｂの表示面側に接している感光層２０５Ｒと、導電層２０２Ｄの表示面側に接している感光層２０５ＢＧは、光電効果が生じる層であり、本実施形態においては、電荷発生層２０５１，２０５３と電荷輸送層２０５２を有し、電荷発生層２０５１、電荷輸送層２０５２、電荷発生層２０５３の順で積層された構造となっている。
感光層は、光が照射されると、光が照射された部分の抵抗値が低下する。表示層と感光層を挟む導電層に印加される電圧は、表示層と感光層とに分圧されるが、感光層の抵抗値が低下すると、分圧比が変化して表示層に掛かる電圧が増加する。
【００２０】
電荷発生層２０５１と電荷発生層２０５３は、光を吸収して光キャリアを発生する層である。電荷発生層２０５１は、表示面側の導電層から書き込み面側の導電層の方向に流れる光キャリアの量を左右し、電荷発生層２０５３は、書き込み面側の導電層から表示面側の導電層の方向に流れる光キャリアの量を左右している。
電荷輸送層２０５２は、各電荷発生層で発生した光キャリアが注入され、導電層に印加される電圧により生じる電場の方向にドリフトする機能を有する層である。
なお、本実施形態においては、感光層２０５Ｒの電荷発生層には、赤色の電荷発生物質としてジブロモアントアントロンを用い、感光層２０５ＢＧの電荷発生層には、青緑色の電荷発生物質としてチタニルフタロシアニンを用いているが、電荷発生物質は、これらの物質に限定されず、他の物質であってもよい。
【００２１】
感光層２０５Ｒの表示面側に接して位置する着色層２０６Ｒは、感光層２０５Ｒの電荷発生層が吸収する光の波長と同じ波長の光を吸収する層であり、無機顔料、または有機染料や有機顔料により、表示層２０４ＢＧが反射する光の補色に着色されている。
また、感光層２０５ＢＧの表示面側に接して位置する着色層２０６ＢＧは、感光層２０５ＢＧの電荷発生層が吸収する光の波長と同じ波長の光を吸収する層であり、無機顔料、または有機染料や有機顔料により、表示層２０４Ｒが反射する光の補色に着色されている。
【００２２】
着色層２０６Ｒと表示層２０４ＢＧの間と、着色層２０６ＢＧと表示層２０４Ｒの間にあるラミネート層２０７は、表示層を着色層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、少なくとも入射する光に対して透過性を有する。
ラミネート層２０７に用いられる材料としては、粘着性の高分子材料（例えばウレタン樹脂、エポキシ樹脂、アクリル樹脂、シリコーン樹脂）を挙げることができる。
【００２３】
この構成を備えた表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化し、初期状態がフォーカルコニック相である場合には、印加される電圧の増加に伴ってフォーカルコニック相、ホメオトロピック相の順番に変化する。
そして、フォーカルコニック相の状態で電圧が除去されると、コレステリック液晶はフォーカルコニック相の状態を保持し、ホメオトロピック相の状態で電圧が除去されると、コレステリック液晶はホメオトロピック相からプレーナ相に変化し、プレーナ相の状態を保持する。
【００２４】
図３は、導電層と感光層を介して表示層に印加される電圧と表示層における光の反射率との関係を示した図であり、表示層２０４ＢＧにおいてプレーナ相からフォーカルコニック相へ変化する時の電圧の閾値をＶｂｇ１フォーカルコニック相からホメオトロピック相へ変化する時の電圧の閾値をＶｂｇ２とすると、電圧除去前に導電層と感光層とを介して印加されている電圧がＶｂｇ２以上の場合、電圧除去後にコレステリック液晶はプレーナ相となって外光中の青緑の光を反射する。
一方、電圧除去前に導電層と感光層とを介して印加されている電圧がＶｂｇ１とＶｂｇ２の間の電圧である場合には、電圧除去後にコレステリック液晶はフォーカルコニック相となって外光が透過する。
【００２５】
また、表示層２０４Ｒにおいてプレーナ相からフォーカルコニック相へ変化する時の電圧の閾値をＶｒ１フォーカルコニック相からホメオトロピック相へ変化する時の電圧の閾値をＶｒ２とすると、電圧除去前に導電層と感光層とを介して印加されている電圧がＶｒ２以上の場合、電圧除去後にコレステリック液晶はプレーナ相となって外光中の赤色の光を反射する。
一方、電圧除去前に導電層と感光層とを介して印加されている電圧がＶｒ１とＶｒ２の間の電圧である場合には、電圧除去後にコレステリック液晶はフォーカルコニック相となって外光が透過する。
【００２６】
なお、本実施形態に係るコレステリック液晶は、電圧が印加されていない状態で安定した相状態を保つものであるが、電圧印加中の相状態の変化は短時間で生じる特徴があり、コレステリック液晶の配向状態を変化させ且つ配向状態を安定させるには、配向状態を変化させる時に予め定められた時間以上の間、表示層へ電圧を印加する必要がある。
【００２７】
図４は、表示層に電圧を印加した時のコレステリック液晶の配向状態の変化を説明するための図であり、図５は、配向状態を変化させるのに要する時間を説明するための図である。
一例として図４に示すように、本実施形態に係るコレステリック液晶は、表示層２０４ＢＧのコレステリック液晶がプレーナ相にある時にＶｂｇ１からＶｂｇ２の間の電圧を印加すると、数ｍｓｅｃでプレーナ相による反射状態から過渡的なフォーカルコニック相による透過状態へ高速に配向状態が変化する。しかしながら、電圧の印加時間が数ｍｓｅｃの期間だと、電圧を除去した後にフォーカルコニック相が安定せず、配向状態がプレーナ相に戻ってしまうため、電圧除去後に書き込み画像は消えてしまう。
また、図５に示すように、プレーナ相からフォーカルコニック相へ配向状態を変化させて且つ安定させるのに必要な電圧の印加時間は、数十ｍｓｅｃ以上のが必要であるため、本実施形態においては、配向状態を変化させる部分については数十ｍｓｅｃ以上の間、電圧が印加される。
なお、配向状態を変化させて且つ配向状態を安定させるのに必要な電圧の印加時間は、数十ｍｓに限定されるものではなく、使用するコレステリック液晶の種類によって適宜調整される。
【００２８】
（書込装置１の構成）
図６は、書込装置１の内部の模式図、図７は、書込装置１のハードウェア構成を示したブロック図である。
制御部１０１は、ＣＰＵ、ＲＯＭ、ＲＡＭ、入力ポートおよび出力ポートなどを備えた、所謂マイクロコンピュータを有している。ＲＯＭには、各部を制御するための制御プログラムが記憶されており、ＣＰＵにより制御プログラムが実行されると、書込装置１の各部が制御される。また、制御プログラムが実行されると、筆記具３の位置に応じて表示媒体２１を制御し、表示装置２に画像を表示させる機能が実現する。
【００２９】
電圧印加部１０３は、端子２０３Ａと接続される端子と、端子２０３Ｂに接続される端子を備えており、これらの端子を用いて導電層２０２Ａ及び導電層２０２Ｂへパルス信号を印加する回路を備えている。また、電圧印加部１０３は、端子２０３Ｃに接続される端子と、端子２０３Ｄに接続される端子を備えており、これらの端子を用いて導電層２０２Ｃ及び導電層２０２Ｄへパルス信号を印加する。
【００３０】
インターフェース部１０５は、端子２００Ａに接続されてタッチパネル２００からの信号を受け取る端子を備えており、タッチパネル２００から出力された信号を制御部１０１へ供給する。
操作部１０６は、画像を表示する表示デバイス１０６Ａ（例えば、液晶ディスプレイや有機ＥＬ（electro luminescence）ディスプレイなど）と、透明で表示デバイス１０６Ａの表面に配置されたタッチパネル１０６Ｂを備えている。表示デバイス１０６Ａは、制御部１０１の制御の下、書込装置１を操作するための画面を表示する。また、タッチパネル１０６Ｂは、使用者が触れた位置を示す信号を制御部１０１へ出力する。
【００３１】
光出力部１０２は、赤、緑、青の三色で構成された画素を複数有する透過型の液晶パネルと、光源として機能するバックライトを備えた液晶ディスプレイ１０２Ａを備えている。バックライトから出力された光は、液晶パネルを透過し、液晶パネルの上方に固定される表示装置２の書き込み面側に照射される。なお、光出力部１０２は、制御部１０１により制御されて光を出力する画素が制御される。
【００３２】
なお、本実施形態において制御部１０１は、タッチパネル２００上の位置と、この位置に対応して光を出力する液晶ディスプレイ１０２Ａの画素の位置とを対応付けて予め記憶しており、タッチパネル２００からの位置信号を受け取ると、この位置信号が表す位置に対応する画素の位置を特定し、特定した画素から光が出力されるように液晶ディスプレイ１０２Ａを制御する。このため、表示装置２と書込装置１を電気的に接続する際には、表示装置２は書込装置１の予め定められた位置に固定される。
【００３３】
また、位置信号に応じて液晶ディスプレイ１０２Ａの画素から光を出力させる場合、画素は、コレステリック液晶の配向状態を変化させて且つ配向状態を安定させるのに必要な予め定められた時間だけ光を出力し、この時間が経過すると光の出力が停止される。
一定時間だけ画素から光を出力した後で画素からの光の出力を停止する理由は、以下のとおりである。
【００３４】
図８は、導電層２０２Ａと導電層２０２Ｂの間に一定の電圧が印加されている状態において、感光層２０５Ｒに図に示した強度の光（２，４，６，１０，２０，５０μＷの光）が照射された時に表示層２０４ＢＧに印加されている電圧と、感光層２０５Ｒに光が照射されている時間との関係を表したグラフである。
導電層２０２Ａと導電層２０２Ｂの間に一定の電圧が印加されている状態において感光層２０５Ｒに光が照射されると（図中の０．１［ｓ］の時点）、感光層２０５Ｒで光キャリアが発生して感光層２０５Ｒの抵抗値が低下し、表示層２０４ＢＧに印加される電圧が増加し、この電圧がＶｒ１を超えると表示層２０４ＢＧのコレステリック液晶の配向状態が変化する。しかし、光の照射が続くと、空間電荷の蓄積により光キャリアが減少し始め（例えば、光の出力が５０［μＷ］の場合、０．１５［ｓ］の時点）、図８に示したように表示層２０４ＢＧに掛かる電圧の低下が始まる。
空間電荷として蓄積した光キャリアは、次にコレステリック液晶の配向状態を変化させる際に悪影響を与えるため、空間電荷として光キャリアの蓄積が始まらないうちに画素からの光の出力を停止するのである。なお、画素から光を出力する時間は、コレステリック液晶の種類や画素が出力する光の強度により適宜調整される。
【００３５】
（実施形態の動作）
次に、本実施形態の動作について説明する。なお、以下の説明においては、筆記具３を用いて表示媒体２１に画像を表示させる際の動作について説明する。
【００３６】
まず、使用者により表示装置２が図１，図６に示したように書込装置１上の予め定められた位置に固定され、電圧印加部１０３の端子と端子２０３Ａ〜２０３Ｄが電気的に接続されると共に、インターフェース部１０５と端子２００Ａが接続される。これにより、書込装置１から端子２０３Ａ〜２０３Ｄを介して導電層２０２Ａ〜２０２Ｄへ電圧を印加することが可能となり、また、タッチパネル２００から出力される信号を制御部１０１が受け取ることが可能となる。
【００３７】
書込装置１は、表示装置２と電気的に接続されると、図１０に示した画面を表示デバイス１０６Ａに表示させる。ここで書込装置１の使用者が、タッチパネル１０６Ｂを操作し、「初期化する」という表示がされた部分に触れると、制御部１０１は、電圧印加部１０３および光出力部１０２を制御し、表示層２０４ＢＧと表示層２０４Ｒのコレステリック液晶の配向状態をプレーナ相にする。
【００３８】
具体的には、まず、制御部１０１により液晶ディスプレイ１０２Ａが制御され、液晶ディスプレイ１０２Ａのバックライトが消灯される。次に電圧印加部１０３が、図９に示した交流のパルス状の信号（以下、パルス信号と称する）を端子２０３Ａと端子２０３Ｂへ印加する。ここで、表示層２０４ＢＧに印加される電圧がＶｂｇ２以上になるようにパルス電圧が設定され、表示層２０４ＢＧの配向状態は、ホメオトロピック相になる。配向状態がホメオトロピック相になった後、パルス信号の印加が停止され、表示層２０４ＢＧの配向状態はプレーナ相になり、表示層２０４ＢＧは、外光中の青緑の波長の光を反射する状態となる。
また、電圧印加部１０３が、パルス信号を端子２０３Ｃと端子２０３Ｄへ印加する。ここで、表示層２０３Ｒに印加される電圧がＶｒ２以上になるようにパルス電圧が設定され、表示層２０４Ｒの配向状態は、ホメオトロピック相になる。配向状態がホメオトロピック相になった後、パルス信号の印加が停止され、表示層２０４Ｒの配向状態はプレーナ相になり、表示層２０４Ｒは、外光中の赤の波長の光を反射する状態となる。
ここで、表示層２０４Ｒが全面で赤の光を反射し、表示層２０４ＢＧが全面で青緑の光を反射するため、表示媒体２１を表示面側から見ると表示媒体２１は、加法混色により淡黄として観察される。
【００３９】
書込装置１は、表示層２０４ＢＧと表示層２０４Ｒのコレステリック液晶の配向状態をプレーナ相にする処理を終了すると、電圧印加部１０３から端子２０３Ａ〜２０３Ｄへの電圧の印加を停止し、図１１に示したように、使用者が画像の書き込みを開始するための画面を表示デバイス１０６Ａに表示させる。
【００４０】
ここで書込装置１の使用者がタッチパネル１０６Ｂを操作し、「開始する」という表示がされた部分に触れると、制御部１０１は、電圧印加部１０３を制御し、パルス信号を端子２０３Ａ〜２０３Ｄに印加する。
なお、端子２０３Ａ，２０３Ｂから印加されるパルス電圧は、表示層２０４ＢＧに印加される電圧がプレーナ相が維持されるＶｂｇ３（図３参照）に設定され、端子２０３Ｃ，２０３Ｄから加されるパルス電圧は、表示層２０４Ｒに印加される電圧がプレーナ相が維持されるＶｒ３（図３参照）に設定される。
【００４１】
そして、使用者が筆記具３をタッチパネル２００に接触させながら図１２に示した経路Ｒ１で筆記具３を移動させると、筆記具３が触れた位置を示す位置信号がタッチパネル２００から出力され、この位置信号が制御部１０１に供給される。制御部１０１は、タッチパネル２００から出力された位置信号を受け取ると、この位置信号が表す位置を基に光出力部１０２を制御する。
【００４２】
例えば、タッチパネル２００において経路Ｒ１上の点Ｐ１の位置を示す位置信号が制御部１０１に供給されると、制御部１０１は、この位置信号を基にして、液晶ディスプレイ１０２Ａにおいて点Ｐ１の下方にある画素Ｇ１を特定し、この画素Ｇ１から光が出力されるように液晶ディスプレイ１０２Ａを制御する。
ここで、図１３（ａ）〜図１３（ｃ）は、光を出力している画素を例示した図であり、図中の黒丸が光を出力している画素を表している。図１３（ａ）に示したように、この時点では画素Ｇ１のみが光を出力する。
【００４３】
なお、液晶ディスプレイ１０２Ａにおいて光を出力する画素は、本実施形態においては、コレステリック液晶の配向状態を変化させて且つ配向状態を安定させるのに必要な予め定められた時間（一例として５０［ｍｓ］）だけ光を出力し、この時間が経過すると光の出力が停止されるように制御される。
【００４４】
液晶ディスプレイ１０２Ａの画素から出力された光は、書き込み面側から表示媒体２１に入射する。そして、画素から出力された光のうち、赤の光は感光層２０５ＢＧにおいて光電効果を生じさせる。すると、表示層２０４Ｒにおいて感光層２０５ＢＧで光電効果が生じた領域の上方に位置する部分では、印加される電圧が増加してＶｒ１とＶｒ２の間の電圧になり、コレステリック液晶の配向状態がフォーカルコニック相に移行して赤の光を透過する状態となる。
また、画素から出力された光のうち、青緑の光は感光層２０５Ｒにおいて光電効果を生じさせる。すると、表示層２０４ＢＧにおいて感光層２０５Ｒで光電効果が生じた領域の上方に位置する部分では、印加される電圧が増加してＶｂｇ１とＶｂｇ２の間の電圧になり、コレステリック液晶の配向状態がフォーカルコニック相に移行して青緑の光を透過する状態となる。
【００４５】
ここで、表示媒体２１において点Ｐ１の下方に位置する部分では、表示面側から入射した青緑の光は、表示層２０４ＢＧを透過した後、着色層２０６Ｒで吸収される。また、表示面側から入射した赤の光は、表示層２０４ＢＧを透過した後、表示層２０４Ｒを透過し、着色層２０６Ｒで吸収される。つまり、表示面側から点Ｐ１の部分に到達する外光は、表示媒体２１で反射されないため、点Ｐ１の下方の部分は黒として使用者に視認される。
【００４６】
次に、筆記具３が点Ｐ２の位置に移動し、タッチパネル２００において経路上の点Ｐ２の位置を示す位置信号が制御部１０１に供給されると、制御部１０１は、この位置信号を基にして、液晶ディスプレイ１０２Ａにおいて点Ｐ２の下方にある画素Ｇ２を特定し、この画素Ｇ２から光が出力されるように液晶ディスプレイ１０２Ａを制御する。なお、ここで、画素Ｇ１が光を出力している時間が、予め定められた時間に達していない場合には、図１３（ｂ）に示したように、画素Ｇ２と共に画素Ｇ１も光を出力している。
画素Ｇ２から出力された光が表示媒体２１に到達すると、画素Ｇ１から光が出力された時と同様に、表示媒体２１において画素Ｇ２の上方に位置する部分は、黒として使用者に視認される。
【００４７】
さらに、筆記具３が点Ｐ３の位置に移動し、タッチパネル２００において経路上の点Ｐ３の位置を示す位置信号が制御部１０１に供給されると、制御部１０１は、この位置信号を基にして、液晶ディスプレイ１０２Ａにおいて点Ｐ３の下方にある画素Ｇ３を特定し、この画素Ｇ３から光が出力されるように液晶ディスプレイ１０２Ａを制御する。ここで、画素Ｇ１が光を出力している時間が、予め定められた時間を超えていると、図１３（ｃ）に示したように画素Ｇ１からの光の出力は停止されている。また、画素Ｇ２が光を出力している時間が、予め定められた時間に達していない場合には、図１３（ｃ）に示したように、画素Ｇ３と共に画素Ｇ２も光を出力している。
画素Ｇ３から出力された光が表示媒体２１に到達すると、画素Ｇ１から光が出力された時と同様に、表示媒体２１において画素Ｇ３の上方に位置する部分は、黒として使用者に視認される。
【００４８】
そして、使用者が経路Ｒ１で筆記具３を移動させた後、筆記具３をタッチパネル２００から離し、タッチパネル１０６Ｂにおいて画像の書き込みの終了を指示する操作を行うと、液晶ディスプレイ１０２Ａのバックライトが消灯される。この時点では、表示媒体２１において経路Ｒ１の部分は、光が一定時間以上照射されてコレステリック液晶の配向状態がフォーカルコニック相となっており、黒の線の画像として視認される。
【００４９】
このように、本実施形態においては、表示媒体２１上を筆記具３が移動すると、筆記具３の先端の移動経路に応じてプレーナ相による反射状態から過渡的なフォーカルコニック相による透過状態へ反射状態が瞬時に変化し、筆記具３で書き込んだ画像が遅延なく使用者に視認される。さらに、筆記具３の移動経路においては、筆記具３が移動した後もコレステリック液晶の配向状態を変化させ且つフォーカルコニック相の配向状態を安定させるのに必要な時間の間、表示媒体２１に光が照射し続けられるので、筆記具３を素早く動かしても、電圧除去後に筆記具３の移動経路のとおりに画像が表示される。
【００５０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５１】
書込装置１においては、使用者が画像の書き込みを開始してから終了するまでの間においては、位置信号が示す位置を不揮発性メモリやＲＡＭに記憶し、記憶した位置と同じ位置を表す位置信号が制御部１０１に供給された場合には、この位置に対応する画素から光を出力しないようにしてもよい。この構成によれば、筆記具３が一箇所で停止しても、この位置に対応した画素からは光が出力され続けることがない。つまり、空間電荷として光キャリアが蓄積されないので、次にコレステリック液晶の配向状態を変化させる際に悪影響が生じない。
なお、使用者が画像の書き込みを開始してから終了するまでの間においては、位置信号が示す位置ではなく、一度光を出力した画素の位置を記憶し、記憶された位置の画素については再び光を出力しないようにしてもよい。
また、同じ位置に再度光を照射しない制御は、位置信号を制御部１０１が受け付ける期間、つまり、位置信号を受け付けて制御部１０１が光出力部１０２を制御する期間において行われるようにしてもよい。
【００５２】
書込装置１において表示媒体２１の書き込み面側に光を照射するのは、液晶ディスプレイ１０２Ａに限定されるものではない。発光ダイオードを面状に並べ、位置信号に応じて発光ダイオードを点灯させて書き込み面側に光を照射してもよい。また、液晶ディスプレイ１０２Ａに替えて、有機ＥＬディスプレイなどの電圧をかけると発光する物質を利用したディスプレイ装置であってもよい。また、液晶ディスプレイであっても、光源のバックライトとして赤、緑、青の三色の光を切り替えられるバックライトを有し、画素が光を透過するか否かのモノクロのタイプの液晶ディスプレイであってもよい。
【００５３】
上述した実施形態では、表示層の数は２つとなっているが、表示媒体２１は、赤の光を反射する表示層、緑の光を反射する表示層及び青の光を反射する表示層というように三つの表示層を備える構成であってもよく、また、表示媒体２１においては、表示層の数は一つであってもよい。
また、三つの表示層を備える構成にあっては、一つの表示層が導電層２０２Ｃと導電層２０２Ｄとの間に位置し、残りの２つの表示層は、導電層２０２Ａと導電層２０２Ｂの間に位置するようにしてもよい。
また、表示層が反射する光は、上述した実施形態や変形例に記載した光に限定されず、他の波長の光（他の色の光）であってもよい。
【００５４】
上述した実施形態では、筆記具３の位置を検知するためのタッチパネルは、表示媒体２１の表面に配置されているが、筆記具３の位置を検知するためのタッチパネルは、表示装置２ではなく、書込装置１に配置されていてもよい。
タッチパネルを書込装置１に配置する場合、書込装置１の表面に液晶ディスプレイ１０２Ａと距離をおいてタッチパネルを配置し、タッチパネルと液晶ディスプレイ１０２Ａとの間に表示装置２を挿入する構成とすれば、表示装置２の書き込み面側へ液晶ディスプレイ１０２Ａの光を照射し、表示面側で筆記具３を動かして表示装置２に表示させることができる。
【００５５】
なお、上述した実施形態では、タッチパネルを用いて筆記具３の位置を検知しているが、筆記具３の位置を検知する構成は抵抗膜式のタッチパネルに限定されるものではなく、電磁誘導方式で筆記具３の位置を検知してもよい。その場合は、液晶ディスプレイ１０２Ａの背面側に電磁誘導シートを配置できる。
また、所謂タブレットを書込装置１に設け、表示装置２の表面ではなく、このタブレット上で筆記具３を移動させ、この位置に応じて液晶ディスプレイ１０２Ａを制御してもよい。
【００５６】
上述した実施形態では、筆記具３はペンの形状をしているが、タッチパネル２００に接触して画素の発光位置を指定できるものであればペンの形状に限定されるものではなく、他の形状であってもよい。また、筆記具３を用いずに指でタッチパネル２００に触れて画像の書き込みを行うようにしてもよい。
つまり本明細書においては、操作子は筆記具３に限定されるものではなく、表示を変化させる部分を指定するものを含む広い概念である。
【００５７】
上述した実施形態では、図１１に示した画面が表示され、「開始する」という表示がされた部分に触れると、筆記具３を用いて画像の書き込みが可能となっているが、表示層２０４Ｒと表示層２０４ＢＧとをプレーナ相にする処理が終了すると、例えば「画像の書き込みが可能になりました」という表示をし、位置信号を受け取って液晶ディスプレイ１０２Ａを制御する処理を開始するようにしてもよい。
また、筆記具３を用いて画像の追記が行われている際には、筆記具３がタッチパネル２００から離れてタッチパネル２００からの信号が制御部１０１に供給されなくなると、液晶ディスプレイ１０２Ａのバックライトを消灯し、筆記具３がタッチパネル２００に接触してタッチパネル２００からの信号が制御部１０１に供給されると液晶ディスプレイ１０２Ａのバックライトを点灯させるようにしてもよい。
【符号の説明】
【００５８】
１・・・書込装置、２・・・表示装置、３・・・筆記具、１０１・・・制御部、１０２・・・光出力部、１０３・・・電圧印加部、１０５・・・インターフェース部、１０６・・・操作部、２００・・・タッチパネル、２００Ａ・・・端子、２０１Ａ〜２０１Ｃ・・・基板層、２０２Ａ〜２０２Ｄ・・・導電層、２０３Ａ〜２０３Ｄ・・・端子、２０４ＢＧ，２０４Ｒ・・・表示層、２０５ＢＧ，２０５Ｒ・・・感光層、２０６ＢＧ，２０６Ｒ・・・着色層、２０７・・・ラミネート層
【図１】
2010230935.tif 000003
【図２】
2010230935.tif 000004
【図３】
2010230935.tif 000005
【図６】
2010230935.tif 000006
【図７】
2010230935.tif 000007
【図８】
2010230935.tif 000008
【図９】
2010230935.tif 000009
【図１０】
2010230935.tif 000010
【図１１】
2010230935.tif 000011
【図１２】
2010230935.tif 000012
【図１３】
2010230935.tif 000013
【図４】
2010230935.tif 000014
【図５】
2010230935.tif 000015